(57)【特許請求の範囲】
【請求項１】
（ａ）  袋体と、
（ｂ）  上記袋体内に配置されると共に、第１の土壌改良資材を収容した第１の筒部および第２の土壌改良資材を収容した第２の筒部とから成り、上記第１の筒部はその一端部が第２の筒部の一端部に連結され、かつ上記第１の筒部と第２の筒部の少なくともいずれか一方の他端部は上記袋体に連結されている筒状体と、を備えたことを特徴とする植生用土嚢袋。
【請求項２】
上記第１の筒部と第２の筒部が袋体内でＶ状、逆Ｖ状又はＬ状に配置されていることを特徴とする請求項１の植生用土嚢袋。
【請求項３】
上記第１の土壌改良資材と第２の土壌改良資材は異なる資材配合を有することを特徴とする請求項１又は２の植生用土嚢袋。
【請求項４】
（ａ）  袋体と、
（ｂ）  上記袋体内に配置されると共に、第１の土壌改良資材を収容した第１の筒部と、第２の土壌改良資材を収容した第２の筒部および第３の土壌改良資材を収容した第３の筒部とから成り、上記第２の筒部の両端部にそれぞれ第１の筒部と第３の筒部の一端部とが連結され、上記第１の筒部の他端部と第３の筒部の他端部の少なくともいずれか一方を上記袋体に連結した筒状体と、を備えたことを特徴とする植生用土嚢袋。
【請求項５】
上記第１から第３の筒部が袋体内でＵ状、Ｎ状、又は三角形状に配置されていることを特徴とする請求項４の植生用土嚢袋。
【請求項６】
上記第１から第３の土壌改良資材の少なくとも一つは残る土壌改良資材と異なる資材配合を有することを特徴とする請求項４又は５の植生用土嚢袋。
【請求項７】
上記袋体は少なくとも一部に種子又は肥料を有することを特徴とする請求項１から６のいずれかの植生用土嚢袋。
【請求項８】
上記種子又は肥料は、上記袋体の少なくとも一部に設けたシートに取り付けられていることを特徴とする請求項１から７のいずれかの植生用土嚢袋。
【請求項９】
上記袋体は網状体からなることを特徴とする請求項１から８のいずれかの植生用土嚢袋。
【請求項１０】
（ａ）  複数の筒部を連続的に連結すると共に、各筒部に土壌改良資材を収容した連結筒状体を形成する工程と、
（ｂ）  袋体を用意する工程と、
（ｃ）  複数の筒体を所定の形状を形成するように上記袋体内に配置する工程と、
（ｄ）  上記連結筒状体の少なくとも一端部又は他端部を袋体に連結する工程と、を備えた植生用土嚢袋の製造方法。
【発明の詳細な説明】
【０００１】
【発明の属する技術分野】
本発明は、盛土表面及び切土表面の保護及び緑化に利用される植生用土嚢袋及びその製造方法に関する。
【０００２】
【発明の背景】
従来、盛土及び切土などの法面を風雨等の浸食から保護し緑化する目的から、法面の土質、勾配、その他の条件に応じた種々の工法が開発されている。また、岩盤、又は植物の生育に適さない地盤が露出した場所に適した工法として、鉄筋コンクリートで格子状の枠を構築してその枠内に植生用土嚢を張り付ける工法、また植生用土嚢を段積して法面を被覆する工法等が知られている。
【０００３】
そして、これらの工法に利用する植生用土嚢袋として、網状体からなる袋の内面に紙又は不織布などのシートを配置すると共に、このシートに種子、肥料、その他の土壌改良材などを坦持させたものが提供されている。このような植生用土嚢袋は、袋の内部に土壌を詰め、この袋の開口部を適当な紐で閉じて、土嚢として利用される。また、植生に適した土壌が得られない場合を想定し、予め植生用土嚢袋にバーク等の土壌改良材を充填した土嚢も提供されている。
【０００４】
このような植生用土嚢袋も、その用途、使用条件等に応じて、種々の改良が為されてきた。例えば、植生植物の根が地盤に容易に侵入できるようにする目的の植生用土嚢が、実開平４−１２３４号公報、実公平５−３８１３０号公報、実公平５−３８１３１号公報、実公平５−３８１３２号公報等に開示されており、これらの植生用土嚢袋はその袋体を構成する網体の仕様を変えている。
【０００５】
また、袋体に土壌を投入する際の衝撃により該袋体が破裂するのを防止するために、袋体の側面を補強した土嚢袋が、実開昭５１−６３６２９号公報、実開平４−９９７３３号公報に開示されている。
【０００６】
さらに、実開平４−９９７３３号公報には、法枠内に土嚢を敷設する際に、この敷設した土嚢の形態を四角形状にし得る土嚢用袋が開示されている。
【０００７】
その他、肥料分の流出を防止して長期間に亘り肥効を保持する土嚢袋が実公昭６２−１９７１０号公報と実公平３−２８７４８号公報に開示され、完成土嚢の軽量化を図る技術が実開昭５５−１３１３４２号と実開昭５７−４１９４３号公報に開示されている。
【０００８】
本願発明は、上述した各種の土嚢袋と違って、特に、土壌改良資材を収容した筒状体を収容すると共に、施工現場の状況に最も適当な筒状体の配置形態を採り得る新規な植生用土嚢袋を提供することを目的とする。
【０００９】
【発明の概要】
これらの目的を達成するために、本発明に係る植生用土嚢袋は、例えば網状体からなる袋体と、この袋体内に配置される筒状体とからなる。筒状体は、第１の土壌改良資材を収容した第１の筒部と、第２の土壌改良資材を収容した第２の筒部とを有し、第１の筒部はその一端部を第２の筒部の一端部に連結され、第１の筒部と第２の筒部の少なくともいずれか一方の他端部は袋体に連結されている。これら第１の筒部と第２の筒部は、袋体の中で、Ｖ状、逆Ｖ状又はＬ状に配置される。また、第１の土壌改良資材と第２の土壌改良資材は異なる配合を有するものとしてもよい。
【００１０】
本発明に係る別の植生用土嚢袋は、例えば網状体からなる袋体と、この袋体内に配置される筒状体とからなる。筒状体は、第１の土壌改良資材を収容した第１の筒部と、第２の土壌改良資材を収容した第２の筒部と、第３の土壌改良資材を収容した第３の筒部とを有する。そして、第２の筒部の両端部にそれぞれ第１の筒部と第３の筒部の一端部が連結され、第１の筒部の他端部と第３の筒部の他端部の少なくともいずれか一方が袋体に連結されている。本形態の植生用土嚢袋の場合、袋体の中で、第１から第３の筒部はＵ状、Ｎ状、又は三角形状に配置される。また、各筒部に含まれる土壌改良資材は、異なる配合を有するものであってもよい。
【００１１】
これら植生用土嚢において、袋体は少なくとも一部に種子又は肥料を備えている。また、これらの種子又は肥料は、袋体の少なくとも一部に取り付けられたシートに設けるのが好ましい。
【００１２】
本発明に係る植生用土嚢袋の製造方法は、複数の筒部を連続的に連結すると共に、各筒部に土壌改良資材を収容した連結筒状体を形成する工程と、袋体を用意する工程と、複数の筒体を所定の形状を形成するように袋体内に配置する工程と、連結筒状体の少なくとも一端部又は他端部を袋体に連結する工程とからなるものである。
【００１３】
【発明の実施の形態】
以下、添付図面を参照して本発明に係る植生用土嚢袋及びその製造方法の実施形態を説明する。図１は、本発明に係る植生用土嚢袋（以下、土嚢袋という。）１０を示す。土嚢袋１０は略四角形の袋に形成されている。また、土嚢袋１０は、網状体（袋体）１２からなり、開口部１４の縁に沿って連続した紐通路１６が形成され、この紐通路１６に紐１８が通してある。網状体１２は、例えば、ポリエチレン・ポリプロピレン等の合成樹脂、ポリ乳酸等のいわゆる生分解性プラスチック、ジュート、綿糸等の糸状物又は紐状物を編織して得たシートからなる。そして、土嚢袋１０は、例えば、このシート（網状体１２）を所定の寸法及び形に裁断した後、まず開口部１４を形成する縁部を接合して紐通路１６を形成し、その後、周囲を接合して得られる。なお、網状体１２の接合は縫製によるのが好ましいが、接着剤を利用して接着してもよい。
【００１４】
土嚢袋１０の内面には土壌改良シート２０が取り付けてある。この土壌改良シート２０は、土嚢袋１０の内面の全体に設ける必要はなく、一部だけに設けてもよい。また、土壌改良シート２０は、網状体１２を土嚢袋１０に加工する前に該網状体１２の片面に接着しておくのが好ましい。ただし、土壌改良シート２０を網状体１２に接着することは必ずしも必要なことでなく、網状体１２に土壌改良シート２０を重ねて両者を一緒に縫製等で接合すれば、土嚢袋１０の内部に土壌改良シート２０を安定して保持できる。
【００１５】
土壌改良シート２０は、例えばパルプからなり、水との接触により容易に分解し得る水分解性シートが利用されており、この水分解性シートに種子、肥料等の土壌改良源２２を保持している。土壌改良源２２は、接着剤で水分解性シートに付着してもよいし、二枚の水分解性シートの間に挟んで保持してもよい。後者の場合、水分解性シートの製造時に熱可塑性樹脂の繊維をパルプに混入しておき、土壌改良源２２を保持した後に二枚の水分解性シートを所定間隔ごとにヒートシールし、これにより土壌改良源２２の脱落を防止するのが好ましい。
【００１６】
土嚢袋１０の内部には、土壌改良資材を収容した筒状体２４が配置されている。本実施形態の筒状体２４は、図２に示すように、布、不織布、紙などからなる２つの筒部（第１の筒部２６と第２の筒部２８）で構成されている。第１の筒部２６の一端部（連結端）３０と他端部（自由端）３２、第２の筒部２８の一端部（連結端）３４と他端部（自由端）３６はそれぞれ閉じられており、第１の筒部２６の連結端３０と第２の筒部２８の連結端３４が連結されている。これら第１と第２の筒部２６、２８は、それぞれに対応した筒を別々に形成し、それらの一端部３０、３４を縫製又は接着して接合してもよい。または、一つの長い筒を所定の間隔ごとに接着又は縫製により閉じて、第１と第２の筒部２６、２８を連続的に形成してもよい。
【００１７】
第１と第２の筒部２８の中には一種類又は複数種類の土壌改良資材３８が収容されている。この土壌改良資材には、例えば、肥料（普通肥料の他に、遅効性肥料又は緩効性肥料若しくは両方を含めてもよい。）、保水剤（例えば、パーライト、バーミキュライト）、その他の材料（ｐＨ調整用の消石灰、炭酸カルシウム）が含まれる。
【００１８】
図１に示すように、筒状体２４は、土嚢袋１０の内部にＶ字状に折り曲げて配置され、縫製又はステープラ等の適宜接合手段を用いて、第１の筒部２６と第２の筒部２８の自由端３２、３６が開口部１４の対称位置に固定される。なお、図１に示すように、土嚢袋１０の内部に筒状体２４をＶ字状に配置したとき、これら筒部２６、２８の連結端３０、３４がちょうど土嚢袋１０の底部４０に位置する。
【００１９】
このように構成された土嚢袋１０を用いて土嚢を作る場合、まず開口部１４を開き、次に開口部１４から所定量の充填材料（図示せず）を投入し、最後に紐１８で開口部１４を閉じる。充填材料の投入時、開口部１４を手に持って支持された土嚢袋１０の筒状体２４はＶ字状の形を保ち、この筒状体２４の周囲に程よく充填材料が充填される。なお、土嚢を現場で作る場合は充填材料として一般に土砂が利用され、現場に完成土嚢を提供する場合は充填材料としてはバーク等の土壌改良材、又はバークに炭化もみ殻や発泡樹脂塊等を混合した土壌改良材が利用される。
【００２０】
このようにして作られた土嚢では、筒状体２４のＶ字の状態は、充填材料の投入後、また充填材料を充填した土嚢袋１０を現場に敷設した後も維持されると共に、筒状体２４は土嚢袋１０内の中央部に保たれる。また、土壌改良資材３８は筒状体２４に保持されているので、現場に敷設された土嚢に雨水が浸透しても筒状体２４から流出することがなく、長期に亘って土壌改良効果及び肥効を維持し、その結果、長期に亘り安定して植物に養分を供給して良好な成長環境を維持する。さらに、本実施形態の土嚢袋１０に収容されているＶ字状の筒状体２４は、例えば土嚢袋内の開口部から底部に至るまでの長さを有する筒状体に比べて２倍以上の長さを有するので、植生土壌及び植物に対して十分な肥料を供給できる。ただし、一時に大量の肥料を植物に供給した場合に該植物が肥料やけを生じる恐れがある場合、肥料粒子の周囲を適当な被覆材で被覆した被覆複合肥料を用いるのが好ましく、この場合、長期間に亘って徐々に肥効が得られるという別の利点がある。
【００２１】
図３（Ａ）から（Ｃ）は２つの筒部からなる２連式筒状体２４の配置形態を示し、これらの各形態について以下の説明する。なお、図３及び以下に説明する他の図において、白丸は筒部と筒部との連結部、黒丸は筒部と土嚢袋との連結部を示す。図３（Ａ）は、土嚢袋１０の中に、２つの筒部２６、２８からなる筒状体２４をＶ字状に配置した図１の形態を示す。図３（Ｂ）は、土嚢袋１０の中に、２つの筒部２６、２８からなる筒状体２４を逆Ｖ字状に配置した形態を示し、第１と第２の筒部２６、２８は、両者の自由端３２、３６が底部４０の両端に位置され、他方の連結端３０、３４が開口部１４の近傍にそれぞれ連結される。
【００２２】
図３（Ｃ）は、土嚢袋１０の中に、筒状体２４を、土嚢袋１０の一方の側部４２と底部４０に沿って、Ｌ字状に配置した形態を示す。本形態の土嚢袋１０の場合、２つの筒部２６、２８を上述のように配置しているので、土嚢袋１０に充填材料を充填する際に、その投入圧は袋体１０の接合部４０、４２が直接受けず、これらの筒部２６、２８を介して土嚢袋１０に伝えられる。また、筒状体２４は、側部４２に沿って配置される筒部２６の自由端３２だけを開口部１４の近傍に連結するだけで、十分に安定して保持できる。このように、筒部２６、２８を土嚢袋１０の縫合部（又は接着部）に沿って配置すれば、その縫合部等を保護し、長期に亘って土嚢の形を維持する効果が得られる。
【００２３】
本形態の土嚢袋１０を現場に敷設する場合、筒部２６、２８の配置されている底部４０又は側部４２を法面の表側に位置させると、土嚢袋１０の内面に配置されている土壌改良シート２０が雨水等により分解して後も、その筒部２６、２８により土嚢袋１０内の充填材料の流出が防止され、その結果、土嚢で構成される法面の崩壊等が有効に防止される。さらに、筒部２６、２８の中に比較的多くの量の保水剤を収容すると、この保水剤に十分な水分が保持されるので、長期に亘って降雨の無い場合でも、植物に安定して水分を供給し、その成長を促進できる。
【００２４】
以上の形態の筒状体は、同一長さの２つの筒部で構成したが、図４（Ａ）に示すように、筒状体１２４を、第１の筒部１２６と、この第１の筒部１２６の約半分の長さを有する第２の筒部１２８とで構成してもよい。この筒状体１２４は、例えば、図４（Ｂ）に示すように、２つで一組として使用され、それぞれの筒状体１２４の第１の筒部１２６を側部４２、４４に沿って、第２の筒部１２８を底部４０に沿って配置する。
【００２５】
筒状体は３つの筒部で構成してもよい。具体的に、図５（Ａ）は、３つの筒部（第１から第３の筒部）２２６、２２７、２２８を連続的に有する３連式筒状体２２４を用いた形態を示し、この形態では、土嚢袋１０の中に、その一方の側部４２、底部４０、そして他方の側部４４に沿って、それぞれ第１から第３の筒部２２６、２２７、２２８が配置され、第１と第３の筒部２２６、２２８の自由端が開口部１４の対称位置で袋体と連結されている。この形態の土嚢袋は、筒部をＬ字状に配置した形態と同様の作用効果を有する。
【００２６】
図５（Ｂ）は、同様に３つの筒部２２６、２２７’、２２８からなる３連式筒状体２２４’を用いた形態を示し、この形態では、第２の筒部２２７’が、開口部１４と側部４２とが交わる位置から、底部４０と側部４４とが交わる位置に斜めに伸びており、第１の筒部２２６と第２の筒部２２７’との連結部が開口部１４に連結され、第３の筒部２２８の自由端が開口部１４の対称位置に連結されている。この形態の場合、第１と第３の筒部２２６、２２８が両側部４２、４４を補強する。また、斜めに配置された第２の筒部２２７’が土嚢の中央に位置するので、土嚢内の充填材料に対してほぼ均一に土壌改良資材を提供できる。
【００２７】
図５（Ｃ）は、同様に３つの筒部２２６、２２７’’、２２８からなる３連式筒状体２２４’’を用いた形態を示し、この形態では、第２の筒部２２７’’が底部４０に沿って配置され、第１と第３の筒部２２６、２２８の自由端部が開口部１４に連結されている。この形態の場合、第２の筒部２２７’’により底部４０が補強され、第１と第３の筒部２２６、２２８により充填材料に対して均一に土壌改良資材が提供される。
【００２８】
以上、３つの筒部を有する筒状体２２４、２２４、２２４’’を利用した形態の場合、２つの筒部からなる筒状体２４を利用した形態に比べて、より多くの土壌改良資材を土嚢内に含めることができると共に形状により袋体の補強を自在に出来る。
【００２９】
図６（Ａ）〜（Ｃ）は４つの筒部３２６、３２７、３２８、３２９からなる４連式筒状体３２４を利用した形態を示し、第１の筒部３２６と第４の筒部３２９の自由端が開口部１４の対称位置に連結され、第２の筒部３２７と第３の筒部３２８との連結部が底部４０の中央に配置されている。この形態の場合、図６（Ｃ）に示すように、土嚢袋１０を開口部１４と底部４０との中央で折り返した場合、第１と第４の筒部３２４、３２９の間に第２と第３の筒部３２７、３２８が位置し、土嚢袋１０を上方から眺めたときに、これら４つの筒部３２６、３２７、３２８、３２９がＷの文字を描くように位置する。そのため、土嚢袋１０を上述のように２つ折りにした場合でも全体の厚みが増加することがないし、多数の土嚢袋１０を重ねた場合でもその重ね合わせた土嚢袋１０の集合体の輪郭がほぼ箱形となるので梱包が容易であり、運搬および輸送においても有利である。
【００３０】
以上で説明した各種の形態の土嚢袋の製造上の利点について述べると、まず、２連式Ｖ字、逆Ｖ字及びＬ字状筒状体と、３連式Ｕ字状筒状体、４連式Ｖ字状筒状体の場合、各筒部の長さ、及び各筒部に充填する土壌改良資材の量をほぼ等しくできるので、一つの連続した帯状シートを搬送ながら筒部を形成する製造装置の各工程（土壌改良資材充填工程、筒部と筒部との間の封止工程）における作業を一定のサイクルで行うことができるという利点がある。また、上記Ｖ字、Ｌ字、Ｕ字の筒状体の場合、それらの自由端部を開口部にステープラ等で連結するだけで筒状体を土嚢袋の中に安定してすれば良いので、例えば実開昭５７−１４７３４４号公報、実公昭６２−１９７２０号公報に開示されている袋体のように、特殊な連結構造を採用する必要が無いし、また、実公平３−２８７４８号公報で開示されているように筒状体の取付けに複雑な工程を必要としないので、筒状体のみならず、土嚢袋を効率良く製造できる。
【００３１】
３連式Ｎ字状及び三角形状筒状体の場合、土嚢袋の側部又は底部に位置する筒部と土嚢袋内を斜めに伸びる筒部にそれぞれ異なる配合の土壌改良資材を充填することができる。そのためには、筒状体は、側部又は底部に沿って配置される筒部とその他の筒部とを別々に形成し、それらをステープラ等で連結して得るのが好ましい。このとき、側部又は底部に配置される筒部を他の筒部よりも強度の高いシートで形成すれば、各筒部がその機能に応じた性能を有する筒状体を得ることができる。
【００３２】
その他、上記実施形態では、土嚢袋１０の開口部１４は紐１８で閉じるものとしたが、充填材料の充填後に開口部１４を底部４０と同様に縫合してもよい。この場合、土嚢を上下対象の略四角形とすることができるので、現場での敷設が容易に行えるうえ、敷設した各土嚢とこれに隣接する別の土嚢との間に出来る隙間を最小にすることができる。なお、多くの場合、開口部の縫合は現場で困難であると考えられるので、本実施形態は完成土嚢を現場に提供する場合に有効である。
【００３３】
また、土嚢袋１０はそのすべてを網状体１２で構成する必要はなく、一部又は全部を、腐食性繊維、生分解性繊維からなるシートで構成し、植物の地山への根系侵入を更に容易にしてもよい。
【００３４】
【発明の効果】
以上の説明から明らかなように、本発明に係る土嚢袋によれば、筒状体を構成している複数の筒部を適当な形に配置し、現場の状況及び使用形態に応じて、最適な施肥効果が得られるように、また長期に亘る法面の保護効果、さらに土嚢の耐久性が得られるように設計できる。また、袋体の内部に配置した筒状体は、この筒状体の端部又は筒部の連結部を袋体に一箇所又は２箇所だけステープラ等で固定すればよいので、土壌袋を補強したりあるいは長期の肥効を得る場合従来の方法と比べて生産工程が大幅に省略出来ると共に土嚢袋を簡易に製造できるものである。
【図面の簡単な説明】
【図１】  本発明に係る植生用土嚢袋の斜視図。
【図２】  図１の植生用土嚢袋に収容した筒状体の斜視図。
【図３】  図２に示す２連式筒状体の配置例を示す図〔（Ａ）〜（Ｃ）〕。
【図４】  ２連式筒状体の他の形態を示す正面図（Ａ）と、この筒状体の配置例を示す図（Ｂ）。
【図５】  ３連式筒状体の配置例を示す図〔（Ａ）〜（Ｃ）〕。
【図６】  ４連式筒状体の正面図（Ａ）、この筒状体の配置例を示す斜視図（Ｂ）、この筒状体を収容した植生用土嚢袋を折り返した斜視図（Ｃ）。
【符号の説明】
１０…植生用土嚢袋、１２…網状体（袋体）、、２０…土壌改良シート２４…筒状体、２６、２８…筒部、３８…土壌改良資材。
【図１】
0003933818.tif 000002
【図２】
0003933818.tif 000003
【図３】
0003933818.tif 000004
【図４】
0003933818.tif 000005
【図５】
0003933818.tif 000006
【図６】
0003933818.tif 000007